(57)【特許請求の範囲】
【請求項１】
熱交換部を備え送風機により温風をハウス内へ送り出すようにした温風暖房機において、暖房オフの指令に基づいて前記熱交換部のバーナーを停止した後も前記送風機における送風動作を所定時間継続させると共に、該送風機の送風温度を設定温度と比較して低くなった場合には上記設定時間に関係なく前記送風機における送風動作を停止させるようにした事を特徴とする施設園芸ハウス用温風暖房機。
【請求項２】
熱交換部を備え送風機により温風をハウス内へ送り出すようにした温風暖房機において、暖房オフの指令に基づいて前記熱交換部のバーナーを停止した後も前記送風機における送風動作を所定時間継続させると共に、該送風機の送風温度を設定温度と比較して低くなった場合に上記設定時間に関係なく前記送風機における送風量を徐々に減少させるようにした事を特徴とする施設園芸ハウス用温風暖房機。
【発明の詳細な説明】
【０００１】
【発明の属する技術分野】
本発明は、作物を栽培する施設園芸ハウス（以下、単にハウスと略称する。）の内部を温風で暖房するための温風暖房機に関し、更に詳しくは、熱交換部を備え送風機により温風をハウス内へ送り出すようにした温風暖房機に関するものである。
【０００２】
【従来の技術】
通常、この種の温風暖房機では、ハウス内に設置された温度センサーからの情報により熱交換部におけるバーナーをオン・オフすることにより、ハウス内の温度を設定温度（管理温度）に維持する仕組みになっている。
即ち、図３の熱交換部における温度推移を説明する運転状態図に示すごとく、
▲１▼暖房オンの指令が出された時、或いはハウス内の温度が設定温度より低いと熱交換部におけるバーナーの燃焼が開始され、▲２▼設定温度でもって定常運転（バーナー燃焼と送風機による温度バランスが平衡状態にある運転）が維持される。そうして、▲３▼暖房オフの指令が出されるか、或いはハウス内の温度が設定温度より高くなると、直ちにバーナーの燃焼が停止されると共に、▲４▼送風機からは熱交換部を冷却するべく所定の時間（図３のＳで示す時間＝通常約６分間）送風が継続され、▲５▼所定時間経過後に送風機が停止し、熱交換部がハウス内の温度と同じ常温状態になる。この様な運転を繰り返すことにより、ハウス内の温度が設定温度に維持される仕組みになっている。
【０００３】
しかし、この種の温風暖房機では、負荷が大きい場合（図３の実線（Ａ）で示した運転時）を基準にして設計されているために、負荷の少ない小型のハウスで使用する場合や春先または秋口など比較的負荷が少なくて済む場合（図３の破線（Ｂ）で示した運転時）において、負荷が大きい場合と比較して熱交換部の冷却時間が短くて済むにも拘わらず送風（冷風運転）時間が長くなることになり、その為、送風機の送風口に近い部分の作物に生育障害が生じたり、生育障害を避けるために送風口の配置に特別な工夫が必要となることがあった。
【０００４】
【発明が解決しようとする課題】
本発明はこのような従来の不具合に鑑みてなされたものであり、バーナーの燃焼を停止した後において、ハウス負荷の大小に関係なく、送風機からの送風温度が設定温度以下になる惧れがない施設園芸ハウス用温風暖房機を提供せんとするものである。
【０００５】
【課題を解決するための手段】
斯かる目的を達成する本発明第１発明の施設園芸ハウス用温風暖房機は、熱交換部を備え送風機により温風をハウス内へ送り出すようにした温風暖房機において、暖房オフの指令に基づいて前記熱交換部のバーナーを停止した後も前記送風機における送風動作を所定時間継続させると共に、該送風機の送風温度を設定温度と比較して低くなった場合には上記設定時間に関係なく前記送風機における送風動作を停止させるようにした事を特徴としたものである。
また、本発明第２発明の施設園芸ハウス用温風暖房機は、暖房オフの指令に基づいて前記熱交換部のバーナーを停止した後も前記送風機における送風動作を所定時間継続させると共に、該送風機の送風温度を設定温度と比較して低くなった場合に上記設定時間に関係なく前記送風機における送風量を徐々に減少させるようにした事を特徴としたものである。
【０００６】
【発明の実施の形態】
以下、本発明の具体的な好適実施例を図面に示したフロー図に従って詳細に説明するが、本発明は係る実施例のものに限定されるものではない。
また、本温風暖房機を構成している熱交換部におけるバーナーや送風機などの具体的構造について格別に図示しなかったが、基本的に従来品と同様であるのでその説明を省略する。また、バーナーや送風機など時間や温度によりオン・オフ動作する構成部材は、従来品と同様にリレーによるシーケンス制御によりコントロールされるか、またはコンピュータによりコントロールされている。
【０００７】
暖房オンの指定を出すか、或いはハウス内の温度が設定温度より低いと、ハウス内に設置された温度センサーから熱交換部におけるバーナー燃焼と送風機運転の指令が出され、バーナーの燃焼が開始されると同時に送風機が運転を開始し、熱交換部における温度が図３に示すごとく▲１▼から▲２▼の設定温度に上昇する。
設定温度による定常運転（バーナー燃焼と送風機による温度バランスが平衡状態にある運転）は、暖房オフの指令が出されるまで維持される。
そうして、暖房オフの指令が出されるか、或いはハウス内の温度が設定温度より高くなると、バーナーの燃焼が直ちに停止され、熱交換部の温度が図３における▲３▼から▲４▼へと下降を開始するようになる。
【０００８】
この際、熱交換部を強制的に冷却するべく、図１に示した熱交換部の冷却フローチャートのごとく、ステップ１で熱交換部におけるバーナーの燃焼を停止した後も、送風機における送風動作を所定時間（図３において「Ｓ」で示す時間、通常約５〜１０分間）継続させる（ステップ２）と共に、送風機から吐出される送風温度を施設園芸ハウス用温風暖房機の送風口に設けた温度センサーで検出して、送風温度Ｔを送風設定温度ｔと比較して、過冷とならないようにする。
【０００９】
すなわち、ステップ３において送風機の送風時間を送風設定時間Ｓと比較し、送風機の送風時間が送風設定時間Ｓを経過した場合には、ステップ４に移行させて送風機の送風運転を直ちに停止せしめ、熱交換部の冷却運転を停止させる（ステップ５）。また、送風機の送風時間が設定時間Ｓを経過していない場合には、ステップ６に移行させて送風機から吐出される送風温度Ｔと送風設定温度ｔとを比較する。その結果、送風温度Ｔが送風設定温度ｔよりも高い場合にはステップ３に戻され、送風温度Ｔが送風設定温度ｔよりも低い場合にはステップ７に移行し、上記送風運転の設定時間Ｓに関係なく送風機の送風運転を直ちに停止せしめて、熱交換部の冷却運転を停止するものである。
この様な送風機のオン・オフ動作を、設定時間Ｓの間繰り返す（図２参照）。
【００１０】
以上の説明（第１発明）では、送風機による送風運転を送風機のオン・オフ制御するようにしたが、送風機の送風温度を設定温度と比較して低くなった場合に、送風設定時間に関係なく送風機における送風量を徐々に減少させるようにしても良い（第２発明）。
【００１１】
【発明の効果】
本発明に係る施設園芸ハウス用温風暖房機は斯様に、熱交換部を備え送風機により温風をハウス内へ送り出すようにした温風暖房機において、暖房オフの指令に基づいて熱交換部のバーナーを停止した後も送風機における送風動作を所定時間継続させると共に、該送風機の送風温度を設定温度と比較して低くなった場合には上記設定時間に関係なく送風機における送風動作を停止させるか又は送風量を徐々に減少させるようにしたので、バーナーの燃焼を停止した後において、送風機からの送風温度が設定温度以下になるような惧れがなくなる。このことは、ハウス負荷の大小に関係なく維持することが可能であり、よって、送風機の送風口に近い部分の作物に生育障害が生じたり、生育障害を避けるために送風口の配置に特別な工夫を必要とするようなことがなくなる。
【図面の簡単な説明】
【図１】  本発明実施の一例を示す熱交換部の冷却フロー図。
【図２】  送風機のオン・オフ動作を説明する図。
【図３】  熱交換部における温度推移を説明する運転状態図。
【図１】
0004344461.tif 000002
【図２】
0004344461.tif 000003
【図３】
0004344461.tif 000004